(57)【要約】  【課題】  食器受具を前側へ摺動操作するとき、摺動操作の仕方等に影響されることなく食器受具の脱落を防ぐことができる食器洗い機を提供する。  【解決手段】  前側が開放され、両側部に上側及び下側の案内条２１，２２を有する洗浄槽と、案内条２１，２２の夫々に前後方向へ摺動自在に載置される上側及び下側の食器受具３，４とを備え、上側の案内条２１の後側を、上側の食器受具３が載置される載置部２１ａとし、上側の案内条２１の前側に、上側の食器受具３が載置されるのを阻止する載置阻止部２３、及び上側の食器受具３の前方への移動量を規制する規制部２４を設け、食器受具３の脱落を防ぐようにした。【選択図】  図１
2006296752.tif 000002
【特許請求の範囲】
【請求項１】
前側が開放され、両側部に案内条を有する洗浄槽と、前記案内条に前後方向へ摺動自在に載置される食器受具とを備える食器洗い機において、前記案内条の後側に、前記食器受具が載置される載置部を有し、前記案内条の前側に、前記食器受具が載置されるのを阻止する載置阻止部、及び前記食器受具の前方への移動量を規制する規制部を有することを特徴とする食器洗い機。
【請求項２】
前記案内条は前記洗浄槽と一体に成形してある請求項１記載の食器洗い機。
【請求項３】
前記案内条の中途に凸部又は凹部を有し、前記食器受け具は前記凸部又は凹部に係合する係合部を有する請求項１又は２記載の食器洗い機。
【請求項４】
前記案内条は上下位置に配してあり、前記食器受具は夫々の案内条に載置されており、前記上側の案内条は、前記載置部と前記載置阻止部及び前記規制部とを有する請求項１乃至３のいずれかひとつに記載の食器洗い機。
【発明の詳細な説明】
【技術分野】
【０００１】
本発明は洗浄槽内の両側に食器受具が前後方向へ摺動自在に載置された食器洗い機に関する。
【背景技術】
【０００２】
食器洗い機は、前側が開放され、両側に上側及び下側の案内条を有する洗浄槽と、前記案内条の夫々に前後方向へ摺動自在に載置される上側及び下側の食器受具とを備え、夫々の食器受具を別個に摺動可能に構成されている（例えば、特許文献１参照。）。また、特許文献１の食器洗い機は、上側の食器受具の両側に、上下に離隔する複数段の係合溝を有する係合体を設け、夫々の係合体のいずれか一つの係合溝に前記上側の案内条を嵌入することにより、上側の食器受具の高さを調節可能になっている。
【特許文献１】特開２００３−３２５４２７号公報
【発明の開示】
【発明が解決しようとする課題】
【０００３】
ところが、特許文献１のように洗浄槽の案内条に食器受具が前後方向へ摺動自在に載置されている食器洗い機にあっては、案内条の前縁から食器受具の係合溝に嵌入され、また、摺動規制されることなく前側へ摺動されるため、食器受具に支持されている食器を取出すべく食器受具を前側へ摺動させるとき、食器受具は摺動規制されることなく摺動する。従って、食器受具が勢いよく前側へ摺動操作されたり、食器受具に支持されている食器の荷重によっては係合溝及び案内条の係合が離脱し、食器受具が脱落する可能性があった。
【０００４】
本発明は斯かる事情に鑑みてなされたものであり、主たる目的は洗浄槽の両側部に設けられる案内条の後側を、食器受具が載置される載置部とし、案内条の前側に、食器受具が載置されるのを阻止する載置阻止部、及び前記食器受具の前方への移動量を規制する規制部を設けることにより、食器受具を前側へ摺動操作するとき、摺動操作の仕方等に影響されることなく食器受具の脱落を防ぐことができる食器洗い機を提供することにある。
【０００５】
また、他の目的は案内条を洗浄槽と一体に成形した構成とすることにより、案内条を備える割に洗浄槽のコスト、ひいては食器洗い機のコストを低減することができる食器洗い機を提供することにある。
【０００６】
また、他の目的は案内条の中途に凸部又は凹部を設け、食器受具は前記凸部又は凹部に係合する係合部を設けることにより、食器受具を前側へ摺動操作するとき、クリック感を生じさせることができる食器洗い機を提供することにある。
【０００７】
また、他の目的は上下位置に案内条を設け、上側の案内条に、前記載置部と前記載置阻止部及び前記規制部とを設けることにより、上側の食器受具を前側へ摺動操作するとき、摺動操作の仕方等に影響されることなく上側の食器受具の脱落を防ぐことができる食器洗い機を提供することにある。
【課題を解決するための手段】
【０００８】
本発明に係る食器洗い機は、前側が開放され、両側部に案内条を有する洗浄槽と、前記案内条に前後方向へ摺動自在に載置される食器受具とを備える食器洗い機において、前記案内条の後側に、前記食器受具が載置される載置部を有し、前記案内条の前側に、前記食器受具が載置されるのを阻止する載置阻止部、及び前記食器受具の前方への移動量を規制する規制部を有することを特徴とする。
【０００９】
この発明にあっては、案内条の前側に載置阻止部が設けられており、案内条の後側に載置部が設けられているため、食器受具を洗浄槽内の後側へ挿入して案内条に載置することができ、この載置状態で前後方向へ摺動させることができる。また、案内条の前側に規制部が設けられているため、食器受具に支持されている食器を取り出すべく食器受具を前側へ摺動操作するとき、摺動操作の仕方等に影響されることなく食器受具の脱落を防ぐことができる。
【００１０】
また、本発明に係る食器洗い機は、前記案内条は前記洗浄槽と一体に成形してあることを特徴とする。
【００１１】
この発明にあっては、洗浄槽が成形される成形用型により案内条を成形することができるため、案内条を設けることによる作業性を向上でき、案内条を備える割に洗浄槽のコスト、ひいては食器洗い機のコストを低減できる。
【００１２】
また、本発明に係る食器洗い機は、前記案内条の中途に凸部又は凹部を有し、前記食器受け具は前記凸部又は凹部に係合する係合部を有することを特徴とする。
【００１３】
この発明にあっては、食器受具に支持されている食器を取り出すべく食器受具を前側へ摺動操作するとき、凸部又は凹部に係合部が係合し、この係合によるクリック感が食器受具を経て使用者に伝動されるため、食器受具を前方へ摺動させているのを把握することができ、食器受具の摺動操作が行い易い。
【００１４】
また、本発明に係る食器洗い機は、前記案内条は上下位置に配してあり、前記食器受具は夫々の案内条に載置されており、前記上側の案内条は、前記載置部と前記載置阻止部及び前記規制部とを有することを特徴とする。
【００１５】
この発明にあっては、上側の案内条の前側に載置阻止部が設けられており、上側の案内条の後側に載置部が設けられているため、上側の食器受具を洗浄槽内の後側へ挿入して案内条に載置することができ、この載置状態で前後方向へ摺動させることができる。また、上側の案内条の前側に規制部が設けられているため、上側の食器受具に支持されている食器を取り出すべく食器受具を前側へ摺動操作するとき、摺動操作の仕方等に影響されることなく食器受具の脱落を防ぐことができる。
【発明の効果】
【００１６】
本発明によれば、上側の食器受具を洗浄槽内の後側へ挿入して案内条に載置することができ、この載置状態で前後方向に摺動させることができ、しかも、食器受具を前側へ摺動操作するとき、摺動操作の仕方等に影響されることなく食器受具の脱落を防ぐことができる。
【００１７】
また、本発明によれば、案内条を設けることによる作業性を向上でき、案内条を備える割に洗浄槽のコスト、ひいては食器洗い機のコストを低減できる。
【００１８】
また、本発明によれば、食器受具を前側へ摺動操作するとき、クリック感が食器受具を経て使用者に伝動されるため、上側の食器受具を前方へ摺動させているのを把握することができ、上側の食器受具の摺動操作が行い易い。
【００１９】
また、上側の食器受具を洗浄槽内の後側へ挿入して案内条に載置することができ、この載置状態で前後方向に摺動させることができ、しかも、食器受具を前側へ摺動操作するとき、摺動操作の仕方等に影響されることなく食器受具の脱落を防ぐことができる。
【発明を実施するための最良の形態】
【００２０】
以下本発明をその実施の形態を示す図面に基づいて詳述する。図１は本発明に係る食器洗い機の構成を示す模式的側面図、図２は食器洗い機の構成を示す模式的正面図、図３は上側の食器受具の組込過程を示す説明図、図４は上側の食器受具の拡大平面図、図５は上側の食器受具の拡大側面図、図６は上側の食器受具を前側へ摺動させた状態の模式的側面図、図７は上側の食器受具を上方へ揺動させた状態の模式的側面図である。
【００２１】
図に示した食器洗い機は、筐体１と、該筐体１内に配置され、その前面に開口部２ａを有する洗浄槽２と、該洗浄槽２に収容され、食器Ａが載せられるあみ篭形状の上側及び下側の食器受具３，４と、下側の食器受具４の下側に配置され、食器受具３，４に載せられた食器Ａに向けて水を噴射する複数の回転可能なノズル５と、該ノズル５に分配弁を介して加圧水を供給するポンプ（図示せず）と、洗浄槽２内を乾燥させるヒータ（図示せず）と、開口部２ａを閉じ、上下方向へ回動自在に筐体１に枢支された扉体（図示せず）とを備える食器洗い乾燥機である。
【００２２】
洗浄槽２内の両側の上下にはその長手方向が前後となる上側及び下側の案内条２１，２１、２２，２２が平行的に設けられている。上側の案内条２１，２１の後側は、上側の食器受具３が載置される載置部２１ａ，２１ａとしてあり、上側の案内条２１，２１の前側に、案内条２１，２１の上面と離隔して対向し、上側の食器受具３が案内条２１，２１の前側に載置されるのを阻止する載置阻止部２３，２３と、該載置阻止部２３，２３及び案内条２１，２１の前縁に連なり、上側の食器受具３の前方への移動量を規制する規制部２４，２４と、後記する第１の係合部３１ａ，３１ａが当接するクリック用の凸部２５，２５とを設けてある。
【００２３】
上側及び下側の案内条２１，２１、２２，２２と、載置阻止部２３，２３及び規制部２４，２４と、凸部２５，２５とは洗浄槽２の成形用型により洗浄槽２と一体に成形されている。
【００２４】
凸部２５，２５は上側の食器受具３が前方へ摺動し始めるとき第１の係合部３１ａ，３１ａと当接するようになっており、また、凸部２５，２５は比較的低い高さであり、第１の係合部３１ａ，３１ａが当接するとき、後記する側枠部３１ｃ，３１ｃを上方へ若干撓ませるようになっている。
【００２５】
上側の食器受具３は、平面視略凹形をなす基体３１と、該基体３１の内側に上下方向へ揺動自在に枢支された可動体３２とを備え、基体３１及び可動体３２は複数本の交差する線材により形成されている。
【００２６】
基体３１は上側の案内条２１，２１の上面に係合する第１の係合部３１ａ，３１ａ及び該第１の係合部３１ａ，３１ａと上下に離隔し、上側の案内条２１，２１の下面に係合する第２の係合部３１ｂ，３１ｂを有する側枠部３１ｃ，３１ｃと、該側枠部３１ｃ，３１ｃの後端縁を連結する連結枠部３１ｄと、該連結枠部３１ｄの両側に取着された一対の枢軸３１ｅ，３１ｅと、該枢軸３１ｅ，３１ｅと対向配置され、枢軸３１ｅ，３１ｅに枢支された可動体３２の下方への揺動を制限する制限部３１ｆ，３１ｆとが設けられている。側枠部３１ｃ，３１ｃは前側の対向間隔が後側の対向間隔より大きくなっており、また、側枠部３１ｃ，３１ｃは前側が内方へ可撓になっている。
【００２７】
第２の係合部３１ｂ，３１ｂは側枠部３１ｃ，３１ｃの前側に配設されており、第１の係合部３１ａ，３１ａは第２の係合部３１ｂ，３１ｂより前側に配設されており、該第１の係合部３１ａ，３１ａの前縁が規制部２４，２４に当接するように構成されている。
【００２８】
可動体３２は略長円皿形をなし、長手方向両端に、後方へ延出された一対の脚杆３２ａ，３２ａが設けられており、該脚杆３２ａ，３２ａの先端に枢軸３１ｅ，３１ｅが嵌入されている。
【００２９】
下側の食器受具４は、平面視矩形をなしており、長手方向両側に下側の案内条２１，２１の上面に係合する係合部が設けられている。
【００３０】
以上のように構成された食器洗い機は、上側の食器受具３を洗浄槽２内の後側へ挿入し、第２の係合部３１ｂ，３１ｂを上側の案内条２１，２１の上縁に当接させ、側枠部３１ｃ，３１ｃの前側を内方へ撓ませつつ下方へ押圧することにより、第２の係合部３１ｂ，３１ｂが上側の案内条２１，２１を越えて該上側の案内条２１，２１の下面に係合し、第１の係合部３１ａ，３１ａが上側の案内条２１，２１の上面に係合し、上側の食器受具３を上側の案内条２１，２１に前後摺動自在に載置することができる。また、下側の食器受具４は洗浄槽２内で下側の案内条２２，２２に摺動自在に載置することができる。
【００３１】
上側の食器受具３を前方へ摺動させた場合、第１の係合部３１ａ，３１ａの前縁が規制部２４，２４に当接し、上側の食器受具３の前方への摺動を規制することができる。従って、食器受具３に支持されている食器Ａを取り出すべく上側の食器受具３を前側へ摺動操作するとき、摺動操作の仕方等に影響されることなく上側の食器受具３の脱落を防ぐことができる。また、上側の食器受具３が前方へ摺動し始めるとき、第１の係合部３１ａ，３１ａの前縁が凸部２５，２５に当接し、食器受具３の摺動に抵抗が加わり、クリック感が発生する。このクリック感が食器受具３を経て使用者に伝動されるため、上側の食器受具３を前方へ摺動させているのを把握することができ、食器受具３の摺動操作が行い易い。
【００３２】
また、上側の食器受具３は上下に揺動させることができるため、下側の食器受具４に支持される食器の大きさ及び種類に応じて上側の食器受具３を下方の支持位置又は上方の非支持位置へ移動させることができ、食器を効率よく洗うことができる。
【００３３】
尚、以上説明した実施の形態では両側部の上下に案内条２１，２１、２２，２２を有し、夫々の案内条２１，２１、２２，２２に食器受具３，４を載置した構成としたが、その他、案内条は一つとし、この案内条に載置部２１ａ、載置阻止部２３及び規制部２４を設ける構成としてもよいし、また、上下の案内条２１，２１、２２，２２の両方、又は、下側の案内条２２に載置部２１ａ、載置阻止部２３及び規制部２４を設ける構成としてもよい。
【００３４】
また、以上説明した実施の形態では上側の案内条２１，２１、載置阻止部２３，２３及び規制部２４，２４を洗浄槽２の成形用型により洗浄槽２と一体に成形したが、その他、上側の案内条２１，２１、載置阻止部２３，２３及び規制部２４，２４を洗浄槽２と別個に形成し、これを洗浄槽２に取着する構成としてもよいし、また、上側の案内条２１，２１及び載置阻止部２３，２３を洗浄槽２と一体に成形し、別個に形成された規制部２４，２４を上側の案内条２１，２１、載置阻止部２３，２３、洗浄槽２のいずれかに取着する構成としてもよい。
【００３５】
また、本発明に係る食器洗い機は、乾燥機能を有する食器洗い乾燥機の構成とする他、乾燥機能をなくした食器洗い機の構成としてもよい。
【図面の簡単な説明】
【００３６】
【図１】本発明に係る食器洗い機の構成を示す模式的側面図である。
【図２】本発明に係る食器洗い機の構成を示す模式的正面図である。
【図３】本発明に係る食器洗い機の組込過程を示す説明図である。
【図４】本発明に係る食器洗い機の上側の食器受具の構成を示す拡大平面図である。
【図５】本発明に係る食器洗い機の上側の食器受具の構成を示す拡大側面図である。
【図６】本発明に係る食器洗い機の上側の食器受具を前側へ摺動させた状態の模式的側面図である。
【図７】本発明に係る食器洗い機の上側の食器受具を上方へ揺動させた状態の模式的側面図である。
【符号の説明】
【００３７】
２    洗浄槽
２１  上側の案内条
２１ａ  載置部
２２  下側の案内条
２３  載置阻止部
２４  規制部
２５  凸部
３    上側の食器受具
４    下側の食器受具
【図１】
2006296752.tif 000003
【図２】
2006296752.tif 000004
【図３】
2006296752.tif 000005
【図４】
2006296752.tif 000006
【図５】
2006296752.tif 000007
【図６】
2006296752.tif 000008
【図７】
2006296752.tif 000009